(57)【特許請求の範囲】
【請求項１】
搬送波が付加されたＳＳＢ信号を直交検波により復調するＳＳＢ信号受信装置において、
前記搬送波が付加されたＳＳＢ信号から搬送波成分及びＳＳＢ信号成分が分離され、再合成された信号を入力し、該信号を直交検波する直交検波手段と、
前記直交検波された複数の直交検波信号を入力し、直交検波信号の振幅を調整する振幅調整手段と、
前記振幅が調整された直交検波信号を入力し、少なくとも乗算器及び除算器によりＳＳＢ信号の復調信号を生成する検波信号演算手段とを備え、
前記振幅調整手段は、検波信号演算手段の乗算器が演算許容範囲内で乗算できるように、複数の直交検波信号のうちの少なくとも一つの直交検波信号に基づいて、共通する倍率信号を決定し、該倍率信号を用いて直交検波信号間の振幅比を維持したまま振幅を調整することを特徴とするＳＳＢ信号受信装置。
【請求項２】
請求項１に記載のＳＳＢ信号受信装置において、
前記振幅調整手段は、共通する倍率信号を決定する倍率決定手段、及び前記共通する倍率信号を用いて複数の直交検波信号の振幅をそれぞれ調整する倍率調整手段を備えたことを特徴とするＳＳＢ信号受信装置。
【請求項３】
請求項１に記載のＳＳＢ信号受信装置において、
前記振幅調整手段は、検波信号演算手段の乗算器が演算許容範囲内で乗算できるように、複数の直交検波信号における絶対値の平均値を算出し、前記複数の直交検波信号を平均値で除算することにより、振幅を調整することを特徴とするＳＳＢ信号受信装置。
【請求項４】
請求項１に記載のＳＳＢ信号受信装置において、
前記振幅調整手段は、検波信号演算手段の乗算器が演算許容範囲内で乗算できるように、複数の直交検波信号を、前記複数の直交検波信号のうちのいずれか一つの直交検波信号でそれぞれ除算することにより、振幅を調整することを特徴とするＳＳＢ信号受信装置。
【請求項５】
請求項１に記載のＳＳＢ信号受信装置において、
前記振幅調整手段は、検波信号演算手段の乗算器が演算許容範囲内で乗算できるように、４つの直交検波信号のうちの３つの直交検波信号を、前記３つの直交検波信号を除いた１つの直交検波信号でそれぞれ除算することにより、前記３つの直交検波信号の振幅を調整し、
前記検波信号演算手段は、振幅が調整された３つの直交検波信号を入力し、少なくとも乗算器及び除算器によりＳＳＢ信号の復調信号を生成することを特徴とするＳＳＢ信号受信装置。
【発明の詳細な説明】
【技術分野】
【０００１】
本発明は、振幅歪を含むＳＳＢ（Ｓｉｎｇｌｅ  Ｓｉｄｅ  Ｂａｎｄ：単側波帯）信号の受信装置に関し、特に、中波放送、短波放送、無線電話、無線呼出、無線操縦、無線標識などの受信装置に適用して、その性能を向上させる技術に関するものである。
【背景技術】
【０００２】
従来、中波放送、短波放送、無線電話、無線呼出、無線操縦、無線標識などに用いるＳＳＢ信号受信装置が知られている（例えば、特許文献１を参照）。このＳＳＢ信号は、被変調波をキャリア成分、ＬＳＢ成分及びＵＳＢ成分に展開した場合に、ＬＳＢ成分及びＵＳＢ成分のみの側帯波信号をいう。このようなＳＳＢ信号による通信方式では、送信時にキャリア成分を含まないため、送信電力量を低減することができ、送信電力の効率化を図ることができる。
【０００３】
図１は、従来のＳＳＢ信号受信装置の構成を示す図である。このＳＳＢ信号受信装置２は、搬送波付きのＳＳＢ信号を直交復調する装置であり、搬送波付きのＳＳＢ信号を搬送波成分の信号（以下、「搬送波成分」という。）Ｓ３１とＳＳＢ信号成分の信号（以下、「ＳＳＢ信号成分」という。）Ｓ３２とに分離した後、再合成、振幅の調整、直交検波を行う。そして、直交検波された同相成分の直交検波信号Ｓ１０１，１１１及び直交成分の直交検波信号Ｓ１０２，１１２の信号演算を行い、ＳＳＢ信号の復調信号Ｓ１９１を出力するものである。図１において、ＳＳＢ信号受信装置２は、周波数変換回路２０、搬送波／信号分離回路３０、搬送波／信号再合成回路８０、リミッタ回路９０，９５、直交検波回路１００，１１０、検波信号演算回路８００及び除算器１９０を備えている。
【０００４】
このようなＳＳＢ信号受信装置２において、リミッタ回路９０，９５は、搬送波／信号再合成回路８０により再合成された信号の振幅を１に調整する。これにより、検波信号演算回路８００への入力信号の振幅を概ね１に近くすることができ、結果として、検波信号演算回路８００に備えた乗算器（後述する乗算器１３０，１４０，１５０）による乗算後の信号の振幅が、当該乗算器の演算許容範囲を超えないようにすることができる。例えば、リミッタ回路９０，９５は、入力する合成信号の振幅
Ａ１＝√［｛１＋ｍｇ（ｔ）｝２+{ｍｇｈ（ｔ）}２］
Ａ２＝√［｛１−ｍｇ（ｔ）｝２+{ｍｇｈ（ｔ）}２］
をそれぞれ１に調整するように演算処理を行う（特許文献１、段落番号００２１を参照）。
【０００５】
【特許文献１】特開２００７−８１６５３号公報
【発明の開示】
【発明が解決しようとする課題】
【０００６】
しかしながら、従来のＳＳＢ信号受信装置２のリミッタ回路９０，９５では、入力する合成信号の振幅を１に調整する際に、極座標変換を行う必要があった。このため、回路規模が大きくなり、演算実行量も多くなることから、ＳＳＢ信号受信装置の設計仕様によっては実施が困難になるという問題があった。
【０００７】
そこで、本発明は、このような問題に鑑みてなされたものであり、ＳＳＢ信号の復調信号を得るための信号振幅を調整する処理を、簡単な演算で行うことにより、回路規模を小さくし、かつ演算量を少なくすることが可能なＳＳＢ信号受信装置を提供することにある。
【課題を解決するための手段】
【０００８】
本発明者らは、前記課題を解決するために鋭意検討した結果、ＳＳＢ信号の復調信号を得るための信号振幅を調整する処理を、負荷の高い極座標変換処理により行う従来のリミッタ回路９０，９５に代えて、簡単な四則演算により行う手段を見出した。すなわち、ＳＳＢ信号受信装置において、直交検波信号Ｓ１０１，Ｓ１０２，Ｓ１１１，Ｓ１１２の振幅を、信号相互間の振幅比を変化させないように（維持するように）増幅または減衰させることを見出した。この場合、ＳＳＢ信号の復調信号を得るための乗算器による乗算後の信号の振幅が、当該乗算器の演算許容範囲を超えるような極めて大振幅または小振幅にならないようにする。
【０００９】
まず、前記本発明が適用されるＳＳＢ信号受信装置の例について説明する。図２は、本発明によるＳＳＢ信号受信装置の例を説明するための図である。このＳＳＢ信号受信装置１は、搬送波が付加されたＳＳＢ信号を直交検波により復調する装置であり、周波数変換回路２０、搬送波／信号分離回路３０、搬送波／信号再合成回路８０、直交検波回路１００，１１０、振幅調整回路９００、検波信号演算回路８００及び除算器１９０を備えている。また、振幅調整回路９００は、倍率決定器９５０及び倍率調整器９１０，９２０，９３０，９４０を備えている。
【００１０】
周波数変換回路２０は、搬送波が付加されたＳＳＢ信号について、一定の中間周波数の信号に変換する。搬送波／信号分離回路３０は、中間周波数の信号から搬送波成分Ｓ３１及びＳＳＢ信号成分Ｓ３２を分離する。
【００１１】
搬送波／信号再合成回路８０は、搬送波成分Ｓ３１とＳＳＢ信号成分Ｓ３２とを合成し、また、搬送波成分Ｓ３１を所定分増幅及び移相させた搬送波成分とＳＳＢ信号成分Ｓ３２とを合成し、それぞれの合成信号を出力する。
【００１２】
直交検波回路１００，１１０は、搬送波／信号再合成回路８０からの２つの合成信号をそれぞれ直交検波し、同相成分の直交検波信号Ｓ１０１、直交成分の直交検波信号Ｓ１０２、同相成分の直交検波信号Ｓ１１１及び直交成分の直交検波信号Ｓ１１２を出力する。
【００１３】
振幅調整回路９００は、直交検波信号Ｓ１０１，Ｓ１０２，Ｓ１１１，Ｓ１１２の振幅調整を行い、信号間の振幅比が変わらないように、かつ振幅が定数１に近くなるように、信号Ｓ９０１，Ｓ９０２，Ｓ９１１，Ｓ９１２を出力する。具体的には、倍率決定器９５０は、直交検波信号Ｓ１０１，Ｓ１０２，Ｓ１１１，Ｓ１１２を入力し、４つの信号のうちの少なくとも一つの信号に基づいて、振幅調整回路９００の出力信号Ｓ９０１，Ｓ９０２，Ｓ９１１，Ｓ９１２の振幅が定数１に近くなるように、共通する一つの増幅または減衰倍率信号Ｓ９５１を生成する。倍率調整器９１０，９２０，９３０，９４０は、直交検波信号Ｓ１０１，Ｓ１０２，Ｓ１１１，Ｓ１１２を、増幅または減衰倍率信号Ｓ９５１により増幅または減衰し、信号Ｓ９０１，Ｓ９０２，Ｓ９１１，Ｓ９１２を出力する。ここで、直交検波信号Ｓ１０１，Ｓ１０２，Ｓ１１１，Ｓ１１２は、共通する一つの増幅または減衰倍率信号Ｓ９５１により増幅または減衰するから、信号間の振幅比は変わることがない。また、振幅調整回路９００の出力信号Ｓ９０１，Ｓ９０２，Ｓ９１１，Ｓ９１２の振幅は、定数１に近くなる。
【００１４】
検波信号演算回路８００は、振幅調整回路９００により振幅調整された信号Ｓ９０１，Ｓ９０２，Ｓ９１１，Ｓ９１２をそれぞれ入力し、所定の演算を行い、復調信号Ｓ１９１を得るための被除数信号Ｓ１７１及び除数信号Ｓ１８１を出力する。除算器１９０は、被除数信号Ｓ１７１及び除数信号Ｓ１８１により除算を行い、ＳＳＢ信号の復調信号Ｓ１９１を出力する。ここで、所定の演算とは、少なくとも乗算器による演算を含み、減算器による演算を含む場合もあるし、加算器による演算を含む場合もある。
【００１５】
このようなＳＳＢ信号受信装置１において、従来のリミッタ回路９０，９５では振幅が１になるように調整していたが、振幅調整回路９００も、振幅が１に近くなるように調整する。これにより、検波信号演算回路８００に備えた乗算器による乗算後の信号の振幅が、当該乗算器の演算許容範囲を超えることはない。
【００１６】
このように、本発明は、その出力信号Ｓ９０１，Ｓ９０２，Ｓ９１１，Ｓ９１２の振幅比を変えることなく、振幅が１に近くなるように、入力信号である直交検波信号Ｓ１０１，Ｓ１０２，Ｓ１１１，Ｓ１１２の振幅を調整する振幅調整回路９００を備えたことを特徴とする。
【００１７】
すなわち、本発明によるＳＳＢ信号受信装置は、搬送波が付加されたＳＳＢ信号を直交検波により復調するＳＳＢ信号受信装置において、前記搬送波が付加されたＳＳＢ信号から搬送波成分及びＳＳＢ信号成分が分離され、再合成された信号を入力し、該信号を直交検波する直交検波手段と、前記直交検波された複数の直交検波信号を入力し、直交検波信号の振幅を調整する振幅調整手段と、前記振幅が調整された直交検波信号を入力し、少なくとも乗算器及び除算器によりＳＳＢ信号の復調信号を生成する検波信号演算手段とを備え、前記振幅調整手段は、検波信号演算手段の乗算器が演算許容範囲内で乗算できるように、複数の直交検波信号のうちの少なくとも一つの直交検波信号に基づいて、共通する倍率信号を決定し、該倍率信号を用いて直交検波信号間の振幅比を維持したまま振幅を調整することを特徴とする。
【００１８】
本発明によるＳＳＢ信号受信装置は、前記振幅調整手段が、共通する倍率信号を決定する倍率決定手段、及び前記共通する倍率信号を用いて複数の直交検波信号の振幅をそれぞれ調整する倍率調整手段を備えたことを特徴とする。
【００１９】
また、本発明によるＳＳＢ信号受信装置は、前記振幅調整手段が、検波信号演算手段の乗算器が演算許容範囲内で乗算できるように、複数の直交検波信号における絶対値の平均値を算出し、前記複数の直交検波信号を平均値で除算することにより、振幅を調整することを特徴とする。
【００２０】
また、本発明によるＳＳＢ信号受信装置は、前記振幅調整手段が、検波信号演算手段の乗算器が演算許容範囲内で乗算できるように、複数の直交検波信号を、前記複数の直交検波信号のうちのいずれか一つの直交検波信号でそれぞれ除算することにより、振幅を調整することを特徴とする。
【００２１】
また、本発明によるＳＳＢ信号受信装置は、前記振幅調整手段が、検波信号演算手段の乗算器が演算許容範囲内で乗算できるように、４つの直交検波信号のうちの３つの直交検波信号を、前記３つの直交検波信号を除いた１つの直交検波信号でそれぞれ除算することにより、前記３つの直交検波信号の振幅を調整し、前記検波信号演算手段が、振幅が調整された３つの直交検波信号を入力し、少なくとも乗算器及び除算器によりＳＳＢ信号の復調信号を生成することを特徴とする。
【発明の効果】
【００２２】
以上のように、本発明によれば、ＳＳＢ信号の復調信号を得るための信号振幅を調整する処理を、簡単な演算で行うようにした。これにより、従来よりも回路規模を小さくし、かつ演算量を少なくすることが可能となる。
【発明を実施するための最良の形態】
【００２３】
以下、本発明を実施するための最良の形態について図面を用いて詳細に説明する。実施例１〜実施例５は、いずれも従来のリミッタ回路９０，９５に代えて、簡単な四則演算により振幅を調整する振幅調整回路９００−１〜９００−５を備えている。実施例１は、共通する増幅または減衰倍率信号Ｓ９５１を、直交検波信号Ｓ１０１，Ｓ１０２，Ｓ１１１，Ｓ１１２について絶対値の平均値の信号とし、倍率調整器９１０，９２０，９３０，９４０が除算により振幅を調整する例を示す。また、実施例２は、共通する増幅または減衰倍率信号Ｓ９５１を同相成分の直交検波信号Ｓ１０１とし、倍率調整器９１０，９２０，９３０，９４０が除算により振幅を調整する例を示す。また、実施例３は、共通する増幅または減衰倍率信号Ｓ９５１を同相成分の直交検波信号Ｓ１０１とし、倍率調整器９２０，９３０，９４０が除算により振幅を調整し、倍率調整器９１０を用いない例を示す。また、実施例４は、共通する増幅または減衰倍率信号Ｓ９５１を直交成分の直交検波信号Ｓ１１２とし、倍率調整器９１０，９２０，９３０，９４０が除算により振幅を調整する例を示す。また、実施例５は、共通する増幅または減衰倍率信号Ｓ９５１を直交成分の直交検波信号Ｓ１１２とし、倍率調整器９１０，９２０，９３０が除算により振幅を調整し、倍率調整器９４０を用いない例を示す。
【００２４】
尚、後述する検波信号演算回路８００−１〜８００−５の乗算器１３０，１４０，１５０は、入力信号Ｓ９０１，Ｓ９０２，Ｓ９１１，Ｓ９１２の振幅が定数１に近い場合に、許容範囲内の乗算処理を行うことができるものとする（これは、図１に示した従来の検波信号演算回路８００の乗算器における許容条件と同様にしたものである。）。この場合、ＳＳＢ信号の復調信号を正確に生成することができる。また、実施例１〜実施例５において、搬送波／信号再合成回路８０に備えた移相器５０には、増幅度Ｇ＝１及び移相量φ＝−３π／２（３π／２の遅相）が設定されているものとする。以下、実施例１〜実施例５について詳細に説明する。数式の番号は、図中に示す信号Ｓと同一の番号で示してある。
【００２５】
〔実施例１〕
まず、実施例１について説明する。実施例１は、共通する増幅または減衰倍率信号Ｓ９５１を、直交検波信号Ｓ１０１，Ｓ１０２，Ｓ１１１，Ｓ１１２について絶対値の平均値の信号とし、倍率調整器９１０，９２０，９３０，９４０が除算により振幅を調整する例である。図３は、本発明の実施の形態によるＳＳＢ信号受信装置（実施例１）の構成を示す図である。
【００２６】
〔実施例１／構成〕
まず、ＳＳＢ信号受信装置１−１の構成について説明する。このＳＳＢ信号受信装置１−１は、周波数変換回路２０、搬送波／信号分離回路３０、増幅器４０、搬送波／信号再合成回路８０、直交検波回路１００，１１０、振幅調整回路９００−１、検波信号演算回路８００−１及び除算器１９０を備えている。また、搬送波／信号再合成回路８０は、移相器５０及び合成器６０，７０を備え、直交検波回路１００は、移相器１０１、乗算器１０２，１０３及びＬＰＦ（低域通過フィルタ）１０４，１０５を備え、直交検波回路１１０は、移相器１１１、乗算器１１２，１１３及びＬＰＦ１１４，１１５を備えている。また、振幅調整回路９００−１は、倍率決定器９５０−１及び倍率調整器９１０−１，９２０−１，９３０−１，９４０−１を備え、検波信号演算回路８００−１は、乗算器１３０，１４０，１５０及び減算器１７０，１８０を備えている。
【００２７】
図１に示した従来のＳＳＢ信号受信装置２と図３に示す実施例１のＳＳＢ信号受信装置１−１とを比較すると、両装置は、周波数変換回路２０、搬送波／信号分離回路３０、増幅器４０、搬送波／信号再合成回路８０、直交検波回路１００，１１０、検波信号演算回路８００（８００−１）及び除算器１９０を備えている点で共通するが、ＳＳＢ信号受信装置１−１は、ＳＳＢ信号受信装置２に備えたリミッタ回路９０，９５の代わりに振幅調整回路９００−１を備えている点で相違する。
【００２８】
ＳＳＢ信号受信装置１−１が、搬送波が付加されたＳＳＢ信号を受信すると、周波数変換回路２０は、その搬送波が付加されたＳＳＢ信号について、一定の中間周波数の信号に変換する。搬送波／信号分離回路３０は、周波数変換回路２０により周波数変換された中間周波数の信号を入力し、その信号から搬送波成分Ｓ３１及びＳＳＢ信号成分Ｓ３２を分離する。増幅器４０は、搬送波／信号分離回路３０により分離された搬送波成分Ｓ３１の振幅を増幅する。
【００２９】
増幅器４０の出力信号である搬送波成分Ｓ４１は、搬送波／信号再合成回路８０の移相器５０、合成器６０、直交検波回路１００の移相器１０１及び乗算器１０３、並びに直交検波回路１１０の移相器１１１及び乗算器１１３へそれぞれ供給される。また、搬送波／信号分離回路３０の出力信号であるＳＳＢ信号成分Ｓ３２は、搬送波／信号再合成回路８０の合成器６０，７０へ供給される。
【００３０】
搬送波／信号再合成回路８０は、増幅器４０から搬送波成分Ｓ４１を入力し、搬送波／信号分離回路３０からＳＳＢ信号成分Ｓ３２を入力し、搬送波成分Ｓ４１とＳＳＢ信号成分Ｓ３２とを合成し、合成信号Ｓ６１を出力すると共に、搬送波成分Ｓ４１を−３π／２移相させた搬送波成分Ｓ５１とＳＳＢ信号成分Ｓ３２とを合成し、合成信号Ｓ７１を出力する。具体的には、合成器６０は、搬送波成分Ｓ４１とＳＳＢ信号成分Ｓ３２とを合成し、合成信号Ｓ６１を出力する。移相器５０は、搬送波成分Ｓ４１を−３π／２分移相させて、搬送波成分Ｓ５１を出力し、合成器７０は、移相器５０からの搬送波成分Ｓ５１とＳＳＢ信号成分Ｓ３２とを合成し、合成信号Ｓ７１を出力する。
【００３１】
搬送波／信号再合成回路８０の出力信号である合成信号Ｓ６１は、直交検波回路１００の乗算器１０２，１０３へそれぞれ供給され、合成信号Ｓ７１は、直交検波回路１１０の乗算器１１２，１１３へそれぞれ供給される。
【００３２】
直交検波回路１００は、搬送波／信号再合成回路８０から合成信号Ｓ６１を入力し、増幅器４０から搬送波成分Ｓ４１を入力し、合成信号Ｓ６１を直交検波して、同相成分の直交検波信号Ｓ１０１及び直交成分の直交検波信号Ｓ１０２を出力する。具体的には、乗算器１０２は、移相器１０１により搬送波成分Ｓ４１を−π／２移相させた信号と合成信号Ｓ６１とを乗算し、ＬＰＦ１０４は、乗算器１０２により乗算された信号にフィルタ処理を施して高域周波数成分を除去し、直交成分の直交検波信号Ｓ１０２を出力する。また、乗算器１０３は、搬送波成分Ｓ４１と合成信号Ｓ６１とを乗算し、ＬＰＦ１０５は、乗算器１０３により乗算された信号にフィルタ処理を施して高域周波数成分を除去し、同相成分の直交検波信号Ｓ１０１を出力する。
【００３３】
直交検波回路１００の出力信号である同相成分の直交検波信号Ｓ１０１は、振幅調整回路９００−１の倍率決定器９５０−１及び倍率調整器９１０−１へそれぞれ供給され、直交成分の直交検波信号Ｓ１０２は、倍率決定器９５０−１及び倍率調整器９２０−１へそれぞれ供給される。
【００３４】
直交検波回路１１０は、搬送波／信号再合成回路８０から合成信号Ｓ７１を入力し、増幅器４０から搬送波成分Ｓ４１を入力し、合成信号Ｓ７１を直交検波して、同相成分の直交検波信号Ｓ１１１及び直交成分の直交検波信号Ｓ１１２を出力する。具体的には、乗算器１１２は、移相器１１１により搬送波成分Ｓ４１を−π／２移相させた信号と合成信号Ｓ７１とを乗算し、ＬＰＦ１１４は、乗算器１１２により乗算された信号にフィルタ処理を施して高域周波数成分を除去し、直交成分の直交検波信号Ｓ１１２を出力する。また、乗算器１１３は、搬送波成分Ｓ４１と合成信号Ｓ７１とを乗算し、ＬＰＦ１１５は、乗算器１１３により乗算された信号にフィルタ処理を施して高域周波数成分を除去し、同相成分の直交検波信号Ｓ１１１を出力する。
【００３５】
直交検波回路１１０の出力信号である同相成分の直交検波信号Ｓ１１１は、振幅調整回路９００−１の倍率決定器９５０−１及び倍率調整器９３０−１へそれぞれ供給され、直交成分の直交検波信号Ｓ１１２は、振幅調整回路９００−１の倍率決定器９５０−１及び倍率調整器９４０−１へそれぞれ供給される。
【００３６】
振幅調整回路９００−１は、直交検波回路１００，１１０から直交検波信号Ｓ１０１，Ｓ１０２，Ｓ１１１，Ｓ１１２を入力し、直交検波信号Ｓ１０１，Ｓ１０２，Ｓ１１１，Ｓ１１２の振幅を、信号間の振幅比が変わらないように、かつ、振幅が定数１に近くなるように調整し、信号Ｓ９０１，Ｓ９０２，Ｓ９１１，Ｓ９１２を生成して出力する。
【００３７】
具体的には、倍率決定器９５０−１は、直交検波回路１００から同相成分の直交検波信号Ｓ１０１及び直交成分の直交検波信号Ｓ１０２、並びに、直交検波回路１１０から同相成分の直交検波信号Ｓ１１１及び直交成分の直交検波信号Ｓ１１２を入力し、これらの信号の絶対値の平均を算出し、増幅または減衰倍率信号Ｓ９５１として出力する。
【００３８】
倍率調整器９１０−１は、直交検波回路１００から同相成分の直交検波信号Ｓ１０１、及び倍率決定器９５０−１から増幅または減衰倍率信号Ｓ９５１を入力し、同相成分の直交検波信号Ｓ１０１を増幅または減衰倍率信号Ｓ９５１で除算し、信号Ｓ９０１を出力する。また、倍率調整器９２０−１は、直交検波回路１００から直交成分の直交検波信号Ｓ１０２、及び倍率決定器９５０−１から増幅または減衰倍率信号Ｓ９５１を入力し、直交成分の直交検波信号Ｓ１０２を増幅または減衰倍率信号Ｓ９５１で除算し、信号Ｓ９０２を出力する。また、倍率調整器９３０−１は、直交検波回路１１０から同相成分の直交検波信号Ｓ１１１、及び倍率決定器９５０−１から増幅または減衰倍率信号Ｓ９５１を入力し、同相成分の直交検波信号Ｓ１１１を増幅または減衰倍率信号Ｓ９５１で除算し、信号Ｓ９１１を出力する。また、倍率調整器９４０−１は、直交検波回路１１０から直交成分の直交検波信号Ｓ１１２、及び倍率決定器９５０−１から増幅または減衰倍率信号Ｓ９５１を入力し、直交成分の直交検波信号Ｓ１１２を増幅または減衰倍率信号Ｓ９５１で除算し、信号Ｓ９１２を出力する。
【００３９】
振幅調整回路９００−１の出力信号Ｓ９０１は、検波信号演算回路８００−１の乗算器１３０−１，１５０−１へ供給され、信号Ｓ９０２は乗算器１４０−１へ供給され、信号Ｓ９１１は乗算器１４０−１，１５０−１へ供給され、信号Ｓ９１２は乗算器１３０−１へ供給される。
【００４０】
検波信号演算回路８００−１は、振幅調整回路９００−１から信号Ｓ９０１，Ｓ９０２，Ｓ９１１，Ｓ９１２を入力し、所定の演算を行い、復調信号Ｓ１９１を得るための被除数信号Ｓ１７１及び除数信号Ｓ１８１を出力する。具体的には、乗算器１３０−１は、Ｓ９０１と信号Ｓ９１２とを乗算し、信号Ｓ１３１を出力する。乗算器１４０−１は、信号Ｓ９０２と信号Ｓ９１１とを乗算し、信号Ｓ１４１を出力する。乗算器１５０−１は、信号Ｓ９０１と信号Ｓ９１１とを乗算し、信号Ｓ１５１を出力する。また、減算器１７０−１は、乗算器１５０−１により出力された信号Ｓ１５１から乗算器１４０−１により出力された信号Ｓ１４１を減算し、被除数信号Ｓ１７１を出力する。減算器１８０−１は、乗算器１４０−１により出力された信号Ｓ１４１から乗算器１３０−１により出力された信号Ｓ１３１を減算し、除数信号Ｓ１８１を出力する。
【００４１】
検波信号演算回路８００−１の出力信号である被除数信号Ｓ１７１及び除数信号Ｓ１８１は、除算器１９０へ供給される。
【００４２】
除算器１９０は、検波信号演算回路８００−１から被除数信号Ｓ１７１及び除数信号Ｓ１８１を入力し、除算を行い、ＳＳＢ信号の復調信号Ｓ１９１を出力する。
【００４３】
〔実施例１／信号〕
次に、図３に示したＳＳＢ信号受信装置１−１における信号について説明する。増幅器４０により出力される搬送波成分Ｓ４１は、最大振幅を１とした場合の時間ｔに対する波形をｃｏｓ（ωｔ）とし、最大振幅をＡとすると、以下の式で表される。
Ａ×ｃｏｓ（ωｔ）                                (41)
また、搬送波／信号分離回路３０により出力されるＳＳＢ信号成分Ｓ３２は、最大振幅を１とした場合の時間ｔに対する波形をｆ（ｔ）とし、最大振幅をＢとすると、以下の式で表される。
Ｂ×ｆ（ｔ）                                      (32)
ここで、搬送波が付加されたＳＳＢ信号を送信する送信装置において、変調前のベースバンド信号をｇ（ｔ）とし、これにヒルベルト変換を施した信号をｈ（ｔ）とすると、搬送波を分離除去したＳＳＢ信号、すなわちｆ（ｔ）は、以下の式で表される。
ｆ（ｔ）＝ｇ（ｔ）×ｃｏｓ（ωｔ）＋ｈ（ｔ）×ｓｉｎ（ωｔ）
したがって、搬送波／信号再合成回路８０の合成器６０により出力される合成信号Ｓ６１及び合成器７０により出力される合成信号Ｓ７１は、移相器５０の増幅度をＧとし、移相量をφとすると、以下の式で表される。
Ａｃｏｓ(ωｔ)＋Ｂ｛ｇ(ｔ)ｃｏｓ(ωｔ)＋ｈ(ｔ)ｓｉｎ(ωｔ)｝            (61)
ＡＧｃｏｓ(ωｔ＋φ)＋Ｂ｛ｇ(ｔ)ｃｏｓ(ωｔ)＋ｈ(ｔ)ｓｉｎ(ωｔ)｝      (71)
【００４４】
直交検波回路１００により出力される同相成分の直交検波信号Ｓ１０１及び直交成分の直交検波信号Ｓ１０２、並びに、直交検波回路１１０により出力される同相成分の直交検波信号Ｓ１１１及び直交成分の直交検波信号Ｓ１１２は、以下の式で表される。
【００４５】
同相成分の直交検波信号Ｓ１０１は、(101)=(61)×(41)であるから、
【数１】
0004774388.tif 000002
また、直交検波回路１００のＬＰＦ１０５により高次周波数信号（２ωｔを含む項）が除去されるから、以下の式で表される。
【数２】
0004774388.tif 000003
【００４６】
直交成分の直交検波信号Ｓ１０２は、(102)=(61)×(41)であるから（但し、(41)は９０°遅れの信号である。）、
【数３】
0004774388.tif 000004
また、直交検波回路１００のＬＰＦ１０４により高次周波数信号（２ωｔを含む項）が除去されるから、以下の式で表される。
＝ＡＢｈ（ｔ）／２                          (102)
【００４７】
同相成分の直交検波信号Ｓ１１１は、(111)=(71)×(41)であるから、
【数４】
0004774388.tif 000005
また、直交検波回路１１０のＬＰＦ１１５により高次周波数信号（２ωｔを含む項）が除去されるから、以下の式で表される。
【数５】
0004774388.tif 000006
【００４８】
直交成分の直交検波信号Ｓ１１２は、(112)=(71)×(41)であるから（但し、(41)は９０°遅れの信号である。）、
【数６】
0004774388.tif 000007
また、直交検波回路１１０のＬＰＦ１１４により高次周波数信号（２ωｔを含む項）が除去されるから、以下の式で表される。
【数７】
0004774388.tif 000008
【００４９】
ここで、振幅調整回路９００−１の倍率決定器９５０−１により決定される増幅または減衰倍率信号Ｓ９５１は、直交検波信号Ｓ１０１，Ｓ１０２，Ｓ１１１，Ｓ１１２の絶対値の平均値であり、これをａ１とすると、振幅調整回路９００−１の出力信号Ｓ９０１は、(901-1)＝(101)÷ａ１であるから、以下の式で表される。
【数８】
0004774388.tif 000009
【００５０】
また、振幅調整回路９００−１の出力信号Ｓ９０２は、(902-1)＝(102)÷ａ１であるから、以下の式で表される。
【数９】
0004774388.tif 000010
【００５１】
また、振幅調整回路９００−１の出力信号Ｓ９１１は、(911-1)＝(111)÷ａ１であるから、以下の式で表される。
【数１０】
0004774388.tif 000011
【００５２】
また、振幅調整回路９００−１の出力信号Ｓ９１２は、(912-1)＝(112)÷ａ１であるから、以下の式で表される。
【数１１】
0004774388.tif 000012
【００５３】
したがって、除算器１９０の被除数信号Ｓ１７１は、(171-1)=(901-1)×(911-1)-(902-1)×(911-1)={(901-1)-(902-1)}×(911-1)であるから、以下の式で表される。
【数１２】
0004774388.tif 000013
【００５４】
また、除算器１９０の除数信号Ｓ１８１は、(181-1)=(902-1)×(911-1)-(901-1)×(912-1)であるから、以下の式で表される。
【数１３】
0004774388.tif 000014
【００５５】
実施例１では、移相器５０が増幅度Ｇ＝１、移相量φ＝−３π／２に設定されているから、これらを式（１７１−１）及び式（１８１−１）に代入すると、それぞれ以下の式で表される。
【数１４】
0004774388.tif 000015
【００５６】
したがって、除算器１９０により出力される復調信号Ｓ１９１は、(191-1)=(171-1’)÷(181-1’)であるから、以下の式で表される。
【数１５】
0004774388.tif 000016
【００５７】
この式により、復調信号Ｓ１９１から変調前のベースバンド信号ｇ（ｔ）の成分が得られることがわかる。
【００５８】
このように、実施例１のＳＳＢ信号受信装置１−１によれば、振幅調整回路９００−１が、直交検波信号Ｓ１０１，Ｓ１０２，Ｓ１１１，Ｓ１１２を、共通する増幅または減衰倍率信号Ｓ９５１（ａ１）でそれぞれ除算し、信号Ｓ９０１（式（９０１−１）），Ｓ９０２（式（９０２−１）），Ｓ９１１（式（９１１−１）），Ｓ９１２（式（９１２−１））を出力し、検波信号演算回路８００−１が、これらの信号Ｓ９０１，Ｓ９０２，Ｓ９１１，Ｓ９１２を入力して乗算処理を行うようにした。これにより、直交検波信号Ｓ１０１，Ｓ１０２，Ｓ１１１，Ｓ１１２は、共通する増幅または減衰倍率信号Ｓ９５１で除算されるから、これにより得られる信号Ｓ９０１，Ｓ９０２，Ｓ９１１，Ｓ９１２の間の振幅比は変わることがなく、正確な復調信号Ｓ１９１を得ることができる。
【００５９】
また、共通する増幅または減衰倍率信号Ｓ９５１は、直交検波信号Ｓ１０１，Ｓ１０２，Ｓ１１１，Ｓ１１２における絶対値の平均値であり、直交検波信号Ｓ１０１，Ｓ１０２，Ｓ１１１，Ｓ１１２にそれぞれ近い値になる。これにより、直交検波信号Ｓ１０１，Ｓ１０２，Ｓ１１１，Ｓ１１２を、当該信号にそれぞれ近い値である増幅または減衰倍率信号Ｓ９５１で除算して得た信号Ｓ９０１，Ｓ９０２，Ｓ９１１，Ｓ９１２は、それぞれの振幅が定数１に近くなり、検波信号演算回路８００−１の乗算器１３０−１，１４０−１，１５０−１による乗算後の信号の振幅は、当該乗算器１３０−１，１４０−１，１５０−１の演算許容範囲を超えることがない。
【００６０】
したがって、ＳＳＢ信号の復調信号を得るための信号振幅を調整する処理を、振幅調整回路９００−１において簡単な四則演算のみで行うことができ、従来技術のような複雑な極座標変換を行う必要がない。つまり、ＳＳＢ信号受信装置１−１全体として回路規模を小さくし、かつ演算量を少なくすることが可能となる。
【００６１】
〔実施例２〕
次に、実施例２について説明する。実施例２は、共通する増幅または減衰倍率信号Ｓ９５１を同相成分の直交検波信号Ｓ１０１とし、倍率決定器９５０を用いることなく、倍率調整器９１０，９２０，９３０，９４０が除算により振幅を調整する例である。図４は、本発明の実施の形態によるＳＳＢ信号受信装置（実施例２）の構成を示す図である。
【００６２】
〔実施例２／構成〕
まず、ＳＳＢ信号受信装置１−２の構成について説明する。このＳＳＢ信号受信装置１−２は、周波数変換回路２０、搬送波／信号分離回路３０、増幅器４０、搬送波／信号再合成回路８０、直交検波回路１００，１１０、振幅調整回路９００−２、検波信号演算回路８００−２及び除算器１９０を備えている。また、振幅調整回路９００−２は、倍率調整器９１０−２，９２０−２，９３０−２，９４０−２を備えている。
【００６３】
図３に示した実施例１のＳＳＢ信号受信装置１−１と図４に示す実施例２のＳＳＢ信号受信装置１−２とを比較すると、両装置は、周波数変換回路２０、搬送波／信号分離回路３０、増幅器４０、搬送波／信号再合成回路８０、直交検波回路１００，１１０、検波信号演算回路８００（８００−１，８００−２）及び除算器１９０が同じ構成である点で共通するが、ＳＳＢ信号受信装置１−２は、ＳＳＢ信号受信装置１−１の振幅調整回路９００−１とは異なる構成の振幅調整回路９００−２を備えている点で相違する。以下、周波数変換回路２０、搬送波／信号分離回路３０、増幅器４０、搬送波／信号再合成回路８０、直交検波回路１００，１１０、検波信号演算回路８００−２及び除算器１９０については、図３に示した実施例１のそれぞれと同一であるので、その詳しい説明は省略する。
【００６４】
図４において、振幅調整回路９００−２は、直交検波回路１００，１１０から直交検波信号Ｓ１０１，Ｓ１０２，Ｓ１１１，Ｓ１１２を入力し、直交検波信号Ｓ１０１，Ｓ１０２，Ｓ１１１，Ｓ１１２の振幅を、信号間の振幅比が変わらないように、かつ、振幅が定数１に近くなるように調整し、信号Ｓ９０１，Ｓ９０２，Ｓ９１１，Ｓ９１２を生成して出力する。
【００６５】
具体的には、倍率調整器９１０−２は、直交検波回路１００から同相成分の直交検波信号Ｓ１０１を入力し、共通する増幅または減衰倍率信号Ｓ９５１として直交検波回路１００から同相成分の直交検波信号Ｓ１０１を入力し、同相成分の直交検波信号Ｓ１０１を同じ信号Ｓ１０１で除算し、信号Ｓ９０１を出力する。また、倍率調整器９２０−２は、直交検波回路１００から直交成分の直交検波信号Ｓ１０２を入力し、共通する増幅または減衰倍率信号Ｓ９５１として直交検波回路１００から同相成分の直交検波信号Ｓ１０１を入力し、直交成分の直交検波信号Ｓ１０２を同相成分の直交検波信号Ｓ１０１で除算し、信号Ｓ９０２を出力する。また、倍率調整器９３０−２は、直交検波回路１１０から同相成分の直交検波信号Ｓ１１１を入力し、共通する増幅または減衰倍率信号Ｓ９５１として直交検波回路１００から同相成分の直交検波信号Ｓ１０１を入力し、同相成分の直交検波信号Ｓ１１１を同相成分の直交検波信号Ｓ１０１で除算し、信号Ｓ９１１を出力する。また、倍率調整器９４０−２は、直交検波回路１１０から直交成分の直交検波信号Ｓ１１２を入力し、共通する増幅または減衰倍率信号Ｓ９５１として直交検波回路１００から同相成分の直交検波信号Ｓ１０１を入力し、直交成分の直交検波信号Ｓ１１２を同相成分の直交検波信号Ｓ１０１で除算し、信号Ｓ９１２を出力する。
【００６６】
振幅調整回路９００−２の出力信号Ｓ９０１は、検波信号演算回路８００−２の乗算器１３０−２，１５０−２へ供給され、信号Ｓ９０２は乗算器１４０−２へ供給され、信号Ｓ９１１は乗算器１４０−２，１５０−２へ供給され、信号Ｓ９１２は乗算器１３０−２へ供給される。
【００６７】
〔実施例２／信号〕
次に、図４に示したＳＳＢ信号受信装置１−２における信号について説明する。実施例１において説明した式（４１）〜式（１１２）までは、実施例２においても同様である。これらの式の信号は、生成ルートが同様だからである。
【００６８】
実施例２において、共通する増幅または減衰倍率信号Ｓ９５１に相当する信号は直交検波信号Ｓ１０１であり、これをａ２とすると、振幅調整回路９００−２の出力信号Ｓ９０１は、(901-2)＝(101)÷ａ２であるから、以下の式で表される。
【数１６】
0004774388.tif 000017
【００６９】
また、振幅調整回路９００−２の出力信号Ｓ９０２は、(902-2)＝(102)÷ａ２であるから、以下の式で表される。
【数１７】
0004774388.tif 000018
【００７０】
また、振幅調整回路９００−２の出力信号Ｓ９１１は、(911-2)＝(111)÷ａ２であるから、以下の式で表される。
【数１８】
0004774388.tif 000019
【００７１】
また、振幅調整回路９００−２の出力信号Ｓ９１２は、(912-2)＝(112)÷ａ２であるから、以下の式で表される。
【数１９】
0004774388.tif 000020
【００７２】
ここで、振幅調整回路９００−２の出力信号Ｓ９０１，Ｓ９０２，Ｓ９１１，Ｓ９１２を示す式（９０１−２）、式（９０２−２）、式（９１１−２）、式（９１２−２）と、実施例１における振幅調整回路９００−１の出力信号Ｓ９０１，Ｓ９０２，Ｓ９１１，Ｓ９１２を示す式（９０１−１）、式（９０２−１）、式（９１１−１）、式（９１２−１）とを比較すると、違いは分母のａ１，ａ２のみであるから、両者は同形であることがわかる。したがって、除算器１９０により出力される復調信号Ｓ１９１には、式（１９１−１）に示したように、変調前のベースバンド信号ｇ（ｔ）の成分が得られることがわかる。
【００７３】
このように、実施例２のＳＳＢ信号受信装置１−２によれば、振幅調整回路９００−２が、直交検波信号Ｓ１０１，Ｓ１０２，Ｓ１１１，Ｓ１１２を、共通する直交検波信号Ｓ１０１（ａ２）でそれぞれ除算し、信号Ｓ９０１（式（９０１−２）），Ｓ９０２（式（９０２−２）），Ｓ９１１（式（９１１−２）），Ｓ９１２（式（９１２−２））を出力し、検波信号演算回路８００−２が、これらの信号Ｓ９０１，Ｓ９０２，Ｓ９１１，Ｓ９１２を入力して乗算処理を行うようにした。これにより、直交検波信号Ｓ１０１，Ｓ１０２，Ｓ１１１，Ｓ１１２は、共通する直交検波信号Ｓ１０１で除算されるから、これにより得られる信号Ｓ９０１，Ｓ９０２，Ｓ９１１，Ｓ９１２の間の振幅比は変わることがなく、正確な復調信号Ｓ１９１を得ることができる。
【００７４】
また、直交検波信号Ｓ１０１，Ｓ１０２，Ｓ１１１，Ｓ１１２を、当該信号にそれぞれ同一の値または近い値である直交検波信号Ｓ１０１で除算して得た信号Ｓ９０１，Ｓ９０２，Ｓ９１１，Ｓ９１２は、それぞれの振幅が定数１またはそれに近くなり、検波信号演算回路８００−２の乗算器１３０−２，１４０−２，１５０−２による乗算後の信号の振幅は、当該乗算器１３０−２，１４０−２，１５０−２の演算許容範囲を超えることがない。
【００７５】
したがって、ＳＳＢ信号の復調信号を得るための信号振幅を調整する処理を、振幅調整回路９００−２において簡単な四則演算のみで行うことができ、従来技術のような複雑な極座標変換処理を行う必要がない。つまり、ＳＳＢ信号受信装置１−２全体として回路規模を小さくし、かつ演算量を少なくすることが可能となる。
【００７６】
また、実施例１に比べて倍率決定器９５０が不要になるから、回路規模をさらに小さくし、かつ演算量をさらに少なくすることが可能となる。
【００７７】
〔実施例３〕
次に、実施例３について説明する。実施例３は、共通する増幅または減衰倍率信号Ｓ９５１を同相成分の直交検波信号Ｓ１０１とし、倍率決定器９５０を用いることなく、倍率調整器９２０，９３０，９４０が除算により振幅を調整する例である。この場合、乗算器１３０，１５０を用いない。倍率決定器９５０を用いないのは、共通する増幅または減衰倍率信号Ｓ９５１を同相成分の直交検波信号Ｓ１０１としたからである。また、倍率調整器９１０を用いないのは、直交検波信号Ｓ１０１を直交検波信号Ｓ１０１で除算すると１だからである。また、乗算器１３０，１５０を用いないのは、乗算器１３０，１５０の入力信号の一つが倍率調整器９１０の出力信号（定数１）だからである。図５は、本発明の実施の形態によるＳＳＢ信号受信装置（実施例３）の構成を示す図である。
【００７８】
〔実施例３／構成〕
まず、ＳＳＢ信号受信装置１−３の構成について説明する。このＳＳＢ信号受信装置１−３は、周波数変換回路２０、搬送波／信号分離回路３０、増幅器４０、搬送波／信号再合成回路８０、直交検波回路１００，１１０、振幅調整回路９００−３、検波信号演算回路８００−３及び除算器１９０を備えている。また、振幅調整回路９００−３は、倍率調整器９２０−３，９３０−３，９４０−３を備え、検波信号演算回路８００−３は、乗算器１４０−３及び減算器１７０−３，１８０−３を備えている。
【００７９】
図４に示した実施例２のＳＳＢ信号受信装置１−２と図５に示す実施例３のＳＳＢ信号受信装置１−３とを比較すると、両装置は、周波数変換回路２０、搬送波／信号分離回路３０、増幅器４０、搬送波／信号再合成回路８０、直交検波回路１００，１１０及び除算器１９０が同じ構成である点で共通するが、ＳＳＢ信号受信装置１−３は、ＳＳＢ信号受信装置１−２の振幅調整回路９００−２及び検波信号演算回路８００−２とは異なる構成の振幅調整回路９００−３及び検波信号演算回路８００−３を備えている点で相違する。以下、周波数変換回路２０、搬送波／信号分離回路３０、増幅器４０、搬送波／信号再合成回路８０、直交検波回路１００，１１０及び除算器１９０については、図４に示した実施例２のそれぞれと同一であるので、その詳しい説明は省略する。
【００８０】
図５において、振幅調整回路９００−３は、直交検波回路１００，１１０から直交検波信号Ｓ１０１，Ｓ１０２，Ｓ１１１，Ｓ１１２を入力し、直交検波信号Ｓ１０１，Ｓ１０２，Ｓ１１１，Ｓ１１２の振幅を、信号間の振幅比が変わらないように、かつ、振幅が定数１に近くなるように調整し、信号Ｓ９０１，Ｓ９０２，Ｓ９１１，Ｓ９１２を生成して出力する。
【００８１】
具体的には、倍率調整器９２０−３は、直交検波回路１００から直交成分の直交検波信号Ｓ１０２を入力し、共通する増幅または減衰倍率信号Ｓ９５１として直交検波回路１００から同相成分の直交検波信号Ｓ１０１を入力し、直交成分の直交検波信号Ｓ１０２を同相成分の直交検波信号Ｓ１０１で除算し、信号Ｓ９０２を出力する。また、倍率調整器９３０−３は、直交検波回路１１０から同相成分の直交検波信号Ｓ１１１を入力し、共通する増幅または減衰倍率信号Ｓ９５１として直交検波回路１００から同相成分の直交検波信号Ｓ１０１を入力し、同相成分の直交検波信号Ｓ１１１を同相成分の直交検波信号Ｓ１０１で除算し、信号Ｓ９１１を出力する。また、倍率調整器９４０−３は、直交検波回路１１０から直交成分の直交検波信号Ｓ１１２を入力し、共通する増幅または減衰倍率信号Ｓ９５１として直交検波回路１００から同相成分の直交検波信号Ｓ１０１を入力し、直交成分の直交検波信号Ｓ１１２を同相成分の直交検波信号Ｓ１０１で除算し、信号Ｓ９１２を出力する。
【００８２】
振幅調整回路９００−３の出力信号である信号Ｓ９０２は検波信号演算回路８００−３の乗算器１４０−３へ供給され、信号Ｓ９１１は乗算器１４０−３及び減算器１７０−３へ供給され、信号Ｓ９１２は減算器１８０−３へ供給される。
【００８３】
検波信号演算回路８００−３は、振幅調整回路９００−３から信号Ｓ９０２，Ｓ９１１，Ｓ９１２を入力し、所定の演算を行い、復調信号Ｓ１９１を得るための被除数信号Ｓ１７１及び除数信号Ｓ１８１を出力する。具体的には、乗算器１４０−３は、信号Ｓ９０２と信号Ｓ９１１とを乗算し、信号Ｓ１４１を出力する。また、減算器１７０−３は、信号Ｓ９１１から乗算器１４０−３により出力された信号Ｓ１４１を減算し、被除数信号Ｓ１７１を出力する。減算器１８０−３は、乗算器１４０−３により出力された信号Ｓ１４１から信号Ｓ９１２を減算し、除数信号Ｓ１８１を出力する。
【００８４】
〔実施例３／信号〕
次に、図５に示したＳＳＢ信号受信装置１−３における信号について説明する。実施例１において説明した式（４１）〜式（１１２）までは、実施例３においても同様である。これらの式の信号は、生成ルートが同様だからである。
【００８５】
実施例３において、共通する増幅または減衰倍率信号Ｓ９５１に相当する信号は直交検波信号Ｓ１０１であり、これをａ３とすると、振幅調整回路９００−３の出力信号Ｓ９０２は、(902-3)＝(102)÷ａ３であるから、以下の式で表される。
【数２０】
0004774388.tif 000021
【００８６】
また、振幅調整回路９００−３の出力信号Ｓ９１１は、(911-3)＝(111)÷ａ３であるから、以下の式で表される。
【数２１】
0004774388.tif 000022
【００８７】
また、振幅調整回路９００−３の出力信号Ｓ９１２は、(912-3)＝(112)÷ａ３であるから、以下の式で表される。
【数２２】
0004774388.tif 000023
【００８８】
したがって、除算器１９０の被除数信号Ｓ１７１は、(171-3)=(911-3)-(902-3)×(911-3)={1-(902-3)}×(911-3)であるから、以下の式で表される。
【数２３】
0004774388.tif 000024
【００８９】
また、除算器１９０の除数信号Ｓ１８１は、(181-3)=(902-3)×(911-3)-(912-3)であるから、以下の式で表される。
【数２４】
0004774388.tif 000025
【００９０】
実施例３では、移相器５０が増幅度Ｇ＝１、移相量φ＝−３π／２に設定されているから、これらを式（１７１−３）及び式（１８１−３）に代入すると、それぞれ以下の式で表される。
【数２５】
0004774388.tif 000026
【００９１】
したがって、除算器１９０により出力される復調信号Ｓ１９１は、(191-3)=(171-3’)÷(181-3’)であるから、以下の式で表される。
【数２６】
0004774388.tif 000027
【００９２】
ここで、ａ３＝ＡＢｇ（ｔ）／２＋Ａ２／２を代入すると、以下の式で表される。
【数２７】
0004774388.tif 000028
【００９３】
したがって、除算器１９０により出力される復調信号Ｓ１９１には、変調前のベースバンド信号ｇ（ｔ）の成分が得られることがわかる。
【００９４】
このように、実施例３のＳＳＢ信号受信装置１−３によれば、振幅調整回路９００−３が、直交検波信号Ｓ１０２，Ｓ１１１，Ｓ１１２を、共通する直交検波信号Ｓ１０１（ａ３）でそれぞれ除算し、信号Ｓ９０２（式（９０２−３）），Ｓ９１１（式（９１１−３）），Ｓ９１２（式（９１２−３））を出力し、検波信号演算回路８００−３が、これらの信号Ｓ９０２，Ｓ９１１，Ｓ９１２を入力して乗算処理を行うようにした。これにより、直交検波信号Ｓ１０２，Ｓ１１１，Ｓ１１２は、共通する直交検波信号Ｓ１０１で除算されるから、これにより得られる信号Ｓ９０２，Ｓ９１１，Ｓ９１２の間の振幅比は変わることがなく、正確な復調信号Ｓ１９１を得ることができる。
【００９５】
また、直交検波信号Ｓ１０２，Ｓ１１１，Ｓ１１２を、当該信号にそれぞれ近い値である直交検波信号Ｓ１０１で除算して得た信号である信号Ｓ９０２，Ｓ９１１，Ｓ９１２は、それぞれの振幅が定数１に近くなり、検波信号演算回路８００−３の乗算器１４０−３による乗算後の信号の振幅は、当該乗算器１４０−３の演算許容範囲を超えることがない。
【００９６】
したがって、ＳＳＢ信号の復調信号を得るための信号振幅を調整する処理を、振幅調整回路９００−３において簡単な四則演算のみで行うことができ、従来技術のような複雑な極座標変換処理を行う必要がない。つまり、ＳＳＢ信号受信装置１−３全体として回路規模を小さくし、かつ演算量を少なくすることが可能となる。
【００９７】
また、実施例１に比べて倍率決定器９５０が不要になり、実施例２に比べて倍率決定器９５０、倍率調整器９１０及び乗算器１３０，１５０が不要になるから、回路規模をさらに小さくし、かつ演算量をさらに少なくすることが可能となる。
【００９８】
〔実施例４〕
次に、実施例４について説明する。実施例４は、共通する増幅または減衰倍率信号Ｓ９５１を直交成分の直交検波信号Ｓ１１２とし、倍率決定器９５０を用いることなく、倍率調整器９１０，９２０，９３０，９４０が除算により振幅を調整する例である。図６は、本発明の実施の形態によるＳＳＢ信号受信装置（実施例４）の構成を示す図である。
【００９９】
〔実施例４／構成〕
まず、ＳＳＢ信号受信装置１−４の構成について説明する。このＳＳＢ信号受信装置１−４は、周波数変換回路２０、搬送波／信号分離回路３０、増幅器４０、搬送波／信号再合成回路８０、直交検波回路１００，１１０、振幅調整回路９００−４、検波信号演算回路８００−４及び除算器１９０を備えている。また、振幅調整回路９００−４は、倍率調整器９１０−４，９２０−４，９３０−４，９４０−４を備えている。
【０１００】
図４に示した実施例２のＳＳＢ信号受信装置１−２と図６に示す実施例４のＳＳＢ信号受信装置１−４とを比較すると、両装置は、周波数変換回路２０、搬送波／信号分離回路３０、増幅器４０、搬送波／信号再合成回路８０、直交検波回路１００，１１０、検波信号演算回路８００（８００−２，８００−４）及び除算器１９０が同じ構成である点で共通するが、ＳＳＢ信号受信装置１−４は、ＳＳＢ信号受信装置１−２の振幅調整回路９００−２とは異なる構成の振幅調整回路９００−４を備えている点で相違する。以下、周波数変換回路２０、搬送波／信号分離回路３０、増幅器４０、搬送波／信号再合成回路８０、直交検波回路１００，１１０、検波信号演算回路８００−４及び除算器１９０については、図４に示した実施例２のそれぞれと同一であるので、その詳しい説明は省略する。
【０１０１】
図６において、振幅調整回路９００−４は、直交検波回路１００，１１０から直交検波信号Ｓ１０１，Ｓ１０２，Ｓ１１１，Ｓ１１２を入力し、直交検波信号Ｓ１０１，Ｓ１０２，Ｓ１１１，Ｓ１１２の振幅を、信号間の振幅比が変わらないように、かつ、振幅が定数１に近くなるように調整し、信号Ｓ９０１，Ｓ９０２，Ｓ９１１，Ｓ９１２を生成して出力する。
【０１０２】
具体的には、倍率調整器９１０−４は、直交検波回路１００から同相成分の直交検波信号Ｓ１０１を入力し、共通する増幅または減衰倍率信号Ｓ９５１として直交検波回路１１０から直交成分の直交検波信号Ｓ１１２を入力し、同相成分の直交検波信号Ｓ１０１を直交成分の直交検波信号Ｓ１１２で除算し、信号Ｓ９０１を出力する。また、倍率調整器９２０−４は、直交検波回路１００から直交成分の直交検波信号Ｓ１０２を入力し、共通する増幅または減衰倍率信号Ｓ９５１として直交検波回路１１０から直交成分の直交検波信号Ｓ１１２を入力し、直交成分の直交検波信号Ｓ１０２を直交成分の直交検波信号Ｓ１１２で除算し、信号Ｓ９０２を出力する。また、倍率調整器９３０−４は、直交検波回路１１０から同相成分の直交検波信号Ｓ１１１を入力し、共通する増幅または減衰倍率信号Ｓ９５１として直交検波回路１１０から直交成分の直交検波信号Ｓ１１２を入力し、同相成分の直交検波信号Ｓ１１１を直交成分の直交検波信号Ｓ１１２で除算し、信号Ｓ９１１を出力する。また、倍率調整器９４０−４は、直交検波回路１１０から直交成分の直交検波信号Ｓ１１２を入力し、共通する増幅または減衰倍率信号Ｓ９５１として直交検波回路１１０から直交成分の直交検波信号Ｓ１１２を入力し、直交成分の直交検波信号Ｓ１１２を同じ信号で除算し、信号Ｓ９１２を出力する。
【０１０３】
振幅調整回路９００−４の出力信号Ｓ９０１は、検波信号演算回路８００−４の乗算器１３０−４，１５０−４へ供給され、信号Ｓ９０２は乗算器１４０−４へ供給され、信号Ｓ９１１は乗算器１４０−４，１５０−４へ供給され、信号Ｓ９１２は乗算器１３０−４へ供給される。
【０１０４】
〔実施例４／信号〕
次に、図６に示したＳＳＢ信号受信装置１−４における信号について説明する。実施例１において説明した式（４１）〜式（１１２）までは、実施例４においても同様である。これらの式の信号は、生成ルートが同様だからである。
【０１０５】
実施例４において、共通する増幅または減衰倍率信号Ｓ９５１に相当する信号は直交検波信号Ｓ１１２であり、これをａ４とすると、振幅調整回路９００−４の出力信号Ｓ９０１は、(901-4)＝(101)÷ａ４であるから、以下の式で表される。
【数２８】
0004774388.tif 000029
【０１０６】
また、振幅調整回路９００−４の出力信号Ｓ９０２は、(902-4)＝(102)÷ａ４であるから、以下の式で表される。
【数２９】
0004774388.tif 000030
【０１０７】
また、振幅調整回路９００−４の出力信号Ｓ９１１は、(911-4)＝(111)÷ａ４であるから、以下の式で表される。
【数３０】
0004774388.tif 000031
【０１０８】
また、振幅調整回路９００−４の出力信号Ｓ９１２は、(912-4)＝(112)÷ａ４であるから、以下の式で表される。
【数３１】
0004774388.tif 000032
【０１０９】
ここで、振幅調整回路９００−４の出力信号Ｓ９０１，Ｓ９０２，Ｓ９１１，Ｓ９１２を示す式（９０１−４）、式（９０２−４）、式（９１１−４）、式（９１２−４）と、実施例１における振幅調整回路９００−１の出力信号Ｓ９０１，Ｓ９０２，Ｓ９１１，Ｓ９１２を示す式（９０１−１）、式（９０２−１）、式（９１１−１）、式（９１２−１）とを比較すると、違いは分母のａ１，ａ４のみであるから、両者は同形であることがわかる。したがって、除算器１９０により出力される復調信号Ｓ１９１には、式（１９１−１）に示したように、変調前のベースバンド信号ｇ（ｔ）の成分が得られることがわかる。
【０１１０】
このように、実施例４のＳＳＢ信号受信装置１−４によれば、振幅調整回路９００−４が、直交検波信号Ｓ１０１，Ｓ１０２，Ｓ１１１，Ｓ１１２を、共通する直交検波信号Ｓ１１２（ａ４）でそれぞれ除算し、信号Ｓ９０１（式（９０１−４）），Ｓ９０２（式（９０２−４）），Ｓ９１１（式（９１１−４）），Ｓ９１２（式（９１２−４））を出力し、検波信号演算回路８００−４が、これらの信号Ｓ９０１，Ｓ９０２，Ｓ９１１，Ｓ９１２を入力して乗算処理を行うようにした。これにより、直交検波信号Ｓ１０１，Ｓ１０２，Ｓ１１１，Ｓ１１２は、共通する直交検波信号Ｓ１１２で除算されるから、これにより得られる信号Ｓ９０１，Ｓ９０２，Ｓ９１１，Ｓ９１２の間の振幅比は変わることがなく、正確な復調信号Ｓ１９１を得ることができる。
【０１１１】
また、直交検波信号Ｓ１０１，Ｓ１０２，Ｓ１１１，Ｓ１１２を、当該信号にそれぞれ近い値または同一の値である直交検波信号Ｓ１１２で除算して得た信号Ｓ９０１，Ｓ９０２，Ｓ９１１，Ｓ９１２は、それぞれの振幅が定数１に近くなるか定数１になり、検波信号演算回路８００−４の乗算器１３０−４，１４０−４，１５０−４による乗算後の信号の振幅は、当該乗算器１３０−４，１４０−４，１５０−４の演算許容範囲を超えることがない。
【０１１２】
したがって、ＳＳＢ信号の復調信号を得るための信号振幅を調整する処理を、振幅調整回路９００−４において簡単な四則演算のみで行うことができ、従来技術のような複雑な極座標変換処理を行う必要がない。つまり、ＳＳＢ信号受信装置１−４全体として回路規模を小さくし、かつ演算量を少なくすることが可能となる。
【０１１３】
また、実施例１に比べて倍率決定器９５０が不要になるから、回路規模をさらに小さくし、かつ演算量をさらに少なくすることが可能となる。
【０１１４】
〔実施例５〕
次に、実施例５について説明する。実施例５は、共通する増幅または減衰倍率信号Ｓ９５１を直交成分の直交検波信号Ｓ１１２とし、倍率決定器９５０を用いることなく、倍率調整器９１０，９２０，９３０が除算により振幅を調整する例である。この場合、乗算器１３０を用いない。倍率決定器９５０を用いないのは、共通する増幅または減衰倍率信号Ｓ９５１を直交成分の直交検波信号Ｓ１１２としたからである。また、倍率調整器９４０を用いないのは、直交検波信号Ｓ１１２を直交検波信号Ｓ１１２で除算すると１だからである。また、乗算器１３０を用いないのは、乗算器１３０の入力信号の一つが倍率調整器９４０の出力信号（定数１）だからである。図７は、本発明の実施の形態によるＳＳＢ信号受信装置（実施例５）の構成を示す図である。
【０１１５】
〔実施例５／構成〕
まず、ＳＳＢ信号受信装置１−５の構成について説明する。このＳＳＢ信号受信装置１−５は、周波数変換回路２０、搬送波／信号分離回路３０、増幅器４０、搬送波／信号再合成回路８０、直交検波回路１００，１１０、振幅調整回路９００−５、検波信号演算回路８００−５及び除算器１９０を備えている。また、振幅調整回路９００−５は、倍率調整器９１０−５，９２０−５，９３０−５を備え、検波信号演算回路８００−５は、乗算器１４０−５，１５０−５及び減算器１７０−５，１８０−５を備えている。
【０１１６】
図５に示した実施例３のＳＳＢ信号受信装置１−３と図７に示す実施例５のＳＳＢ信号受信装置１−５とを比較すると、両装置は、周波数変換回路２０、搬送波／信号分離回路３０、増幅器４０、搬送波／信号再合成回路８０、直交検波回路１００，１１０及び除算器１９０が同じ構成である点で共通するが、ＳＳＢ信号受信装置１−５は、ＳＳＢ信号受信装置１−３の振幅調整回路９００−３及び検波信号演算回路８００−３とは異なる構成の振幅調整回路９００−５及び検波信号演算回路８００−５を備えている点で相違する。以下、周波数変換回路２０、搬送波／信号分離回路３０、増幅器４０、搬送波／信号再合成回路８０、直交検波回路１００，１１０及び除算器１９０については、図５に示した実施例３のそれぞれと同一であるので、その詳しい説明は省略する。
【０１１７】
図７において、振幅調整回路９００−５は、直交検波回路１００，１１０から直交検波信号Ｓ１０１，Ｓ１０２，Ｓ１１１，Ｓ１１２を入力し、直交検波信号Ｓ１０１，Ｓ１０２，Ｓ１１１，Ｓ１１２の振幅を、信号間の振幅比が変わらないように、かつ、振幅が定数１に近くなるように調整し、信号Ｓ９０１，Ｓ９０２，Ｓ９１１を生成して出力する。
【０１１８】
具体的には、倍率調整器９１０−５は、直交検波回路１００から同相成分の直交検波信号Ｓ１０１を入力し、共通する増幅または減衰倍率信号Ｓ９５１として直交検波回路１１０から直交成分の直交検波信号Ｓ１１２を入力し、同相成分の直交検波信号Ｓ１０１を直交成分の直交検波信号Ｓ１１２で除算し、信号Ｓ９０２を出力する。また、倍率調整器９２０−５は、直交検波回路１００から直交成分の直交検波信号Ｓ１０２を入力し、共通する増幅または減衰倍率信号Ｓ９５１として直交検波回路１１０から直交成分の直交検波信号Ｓ１１２を入力し、直交成分の直交検波信号Ｓ１０２を直交成分の直交検波信号Ｓ１１２で除算し、信号Ｓ９０２を出力する。また、倍率調整器９３０−５は、直交検波回路１１０から同相成分の直交検波信号Ｓ１１１を入力し、共通する増幅または減衰倍率信号Ｓ９５１として直交検波回路１１０から直交成分の直交検波信号Ｓ１１２を入力し、同相成分の直交検波信号Ｓ１１１を直交成分の直交検波信号Ｓ１１２で除算し、信号Ｓ９１１を出力する。
【０１１９】
振幅調整回路９００−５の出力信号Ｓ９０１は検波信号演算回路８００−５の乗算器１５０−５及び減算器１８０−５へ供給され、信号Ｓ９０２は乗算器１４０−５へ供給され、信号Ｓ９１１は乗算器１４０−５，１５０−５へ供給される。
【０１２０】
検波信号演算回路８００−５は、振幅調整回路９００−５から信号Ｓ９０１，Ｓ９０２，Ｓ９１１を入力し、所定の演算を行い、復調信号Ｓ１９１を得るための被除数信号Ｓ１７１及び除数信号Ｓ１８１を出力する。具体的には、乗算器１４０−５は、信号Ｓ９０２と信号Ｓ９１１とを乗算し、信号Ｓ１４１を出力する。また、乗算器１５０−５は、信号Ｓ９０１と信号Ｓ９１１とを乗算し、信号Ｓ１５１を出力する。減算器１７０−５は、乗算器１５０−５により出力された信号Ｓ１５１から乗算器１４０−５により出力された信号Ｓ１４１を減算し、被除数信号Ｓ１７１を出力する。減算器１８０−５は、乗算器１４０−５により出力された信号Ｓ１４１から信号Ｓ９０１を減算し、除数信号Ｓ１８１を出力する。
【０１２１】
〔実施例５／信号〕
次に、図７に示したＳＳＢ信号受信装置１−５における信号について説明する。実施例１において説明した式（４１）〜式（１１２）までは、実施例５においても同様である。これらの式の信号は、生成ルートが同様だからである。
【０１２２】
実施例５において、共通する増幅または減衰倍率信号Ｓ９５１に相当する信号は直交検波信号Ｓ１１２であり、これをａ５とすると、振幅調整回路９００−５の出力信号Ｓ９０１は、(901-5)＝(101)÷ａ５であるから、以下の式で表される。
【数３２】
0004774388.tif 000033
【０１２３】
また、振幅調整回路９００−５の出力信号Ｓ９０２は、(902-5)＝(102)÷ａ５であるから、以下の式で表される。
【数３３】
0004774388.tif 000034
【０１２４】
また、振幅調整回路９００−５の出力信号Ｓ９１１は、(911-5)＝(111)÷ａ５であるから、以下の式で表される。
【数３４】
0004774388.tif 000035
【０１２５】
したがって、除算器１９０の被除数信号Ｓ１７１は、(171-5)=(901-5)×(911-5)-(902-5)×(911-5)であるから、以下の式で表される。
【数３５】
0004774388.tif 000036
【０１２６】
また、除算器１９０の除数信号Ｓ１８１は、(181-5)=(902-5)×(911-5)-(901-5)であるから、以下の式で表される。
【数３６】
0004774388.tif 000037
【０１２７】
実施例５では、移相器５０が増幅度Ｇ＝１、移相量φ＝−３π／２に設定されているから、これらを式（１７１−５）及び式（１８１−５）に代入すると、それぞれ以下の式で表される。
【数３７】
0004774388.tif 000038
【０１２８】
したがって、除算器１９０により出力される復調信号Ｓ１９１は、(191-5)=(171-5’)÷(181-5’)であるから、以下の式で表される。
【数３８】
0004774388.tif 000039
【０１２９】
ここで、ａ５＝ＡＢｈ（ｔ）／２−Ａ２／２（∵Ｇｓｉｎφ＝１）を代入すると、以下の式で表される。
【数３９】
0004774388.tif 000040
【０１３０】
したがって、除算器１９０により出力される復調信号Ｓ１９１には、変調前のベースバンド信号ｇ（ｔ）の成分が得られることがわかる。
【０１３１】
このように、実施例５のＳＳＢ信号受信装置１−５によれば、振幅調整回路９００−５が、直交検波信号Ｓ１０１，Ｓ１０２，Ｓ１１１を、共通する直交検波信号Ｓ１１２（ａ５）でそれぞれ除算し、信号Ｓ９０１（式（９０１−５））、Ｓ９０２（式（９０２−５）），Ｓ９１１（式（９１１−５））を出力し、検波信号演算回路８００−５が、これらの信号Ｓ９０１，Ｓ９０２，Ｓ９１１を入力して乗算処理を行うようにした。これにより、直交検波信号Ｓ１０１，Ｓ１０２，Ｓ１１１は、共通する直交検波信号Ｓ１１２で除算されるから、これにより得られる信号Ｓ９０１，Ｓ９０２，Ｓ９１１の間の振幅比は変わることがなく、正確な復調信号Ｓ１９１を得ることができる。
【０１３２】
また、直交検波信号Ｓ１０１，Ｓ１０２，Ｓ１１１を、当該信号にそれぞれ近い値である直交検波信号Ｓ１１２で除算して得た信号Ｓ９０１，Ｓ９０２，Ｓ９１１は、それぞれの振幅が定数１に近くなり、検波信号演算回路８００−５の乗算器１４０−５，１５０−５による乗算後の信号の振幅は、当該乗算器１４０−５，１５０−５の演算許容範囲を超えることがない。
【０１３３】
したがって、ＳＳＢ信号の復調信号を得るための信号振幅を調整する処理を、振幅調整回路９００−５において簡単な四則演算のみで行うことができ、従来技術のような複雑な極座標変換処理を行う必要がない。つまり、ＳＳＢ信号受信装置１−５全体として回路規模を小さくし、かつ演算量を少なくすることが可能となる。
【０１３４】
また、実施例１に比べて倍率決定器９５０が不要になり、実施例４に比べて倍率決定器９５０、倍率調整器９４０及び乗算器１３０が不要になるから、回路規模をさらに小さくし、かつ演算量をさらに少なくすることが可能となる。
【０１３５】
以上、実施例を挙げて本発明を説明したが、本発明は実施例１〜５に限定されるものではなく、その技術思想を逸脱しない範囲で種々変形可能である。例えば、実施例１〜５において、振幅調整回路９００−１〜９００−５は、共通する増幅または減衰倍率信号Ｓ９５１を生成し、出力信号Ｓ９０１，Ｓ９０２，Ｓ９１１，Ｓ９１２の振幅が１に近くなるようにまたは１になるように調整するようにしたが、これに限定するものではない。要するに、振幅調整回路９００−１〜９００−５は、検波信号演算回路８００−１〜８００−５の乗算器１３０，１４０，１５０による乗算処理が演算許容範囲で行われるように、共通する増幅または減衰倍率信号Ｓ９５１を生成し、出力信号Ｓ９０１，Ｓ９０２，Ｓ９１１，Ｓ９１２の振幅を調整すればよい。
【０１３６】
また、実施例２及び３において、振幅調整回路９００−２，９００−３は、共通する増幅または減衰倍率信号Ｓ９５１として直交検波信号Ｓ１０１を用い、また、実施例４及び５において、振幅調整回路９００−４，９００−５は直交検波信号Ｓ１１２を用いたがこれに限定するものではなく、直交検波信号Ｓ１０１，Ｓ１１２の代わりに直交検波信号Ｓ１０２または直交検波信号Ｓ１１１を用いるようにしてもよい。
【０１３７】
また、実施例１〜５において、検波信号演算回路８００−１〜８００−５は、乗算器及び減算器を備えているがこれに限定するものではなく、場合によっては加算器を備えることもあり得る。
【０１３８】
また、実施例１〜５において、搬送波／信号再合成回路８０の移相器５０には、増幅度Ｇ＝１及び移相量φ＝−３π／２（３π／２の遅相）が設定されているが、これに限定するものではなく、種々の増幅度Ｇ及び移相量φに適用することができる。
【０１３９】
また、実施例１〜５では、ＳＳＢ信号受信装置１−１〜１−５が、図３〜図７に示した回路により構成されているが、本発明は、必ずしもハードウェアで構成する必要はなく、その一部または全部をＤＳＰ（Ｄｉｇｉｔａｌ  Ｓｉｇｎａｌ  Ｐｒｏｃｅｓｓｏｒ）またはＣＰＵ（Ｃｅｎｔｒａｌ  Ｐｒｏｃｅｓｓｉｎｇ  Ｕｎｉｔ）及び記憶装置により構成し、記憶装置にその一部または全部の機能を実現するためのプログラムを格納するようにしてもよい。この場合、その機能は、記憶装置に記憶されたプログラムをＤＳＰまたはＣＰＵに実行させることにより実現される。
【図面の簡単な説明】
【０１４０】
【図１】従来のＳＳＢ信号受信装置の構成を示す図である。
【図２】本発明のＳＳＢ信号受信装置を説明するための図である。
【図３】本発明の実施の形態によるＳＳＢ信号受信装置（実施例１）の構成を示す図である。
【図４】本発明の実施の形態によるＳＳＢ信号受信装置（実施例２）の構成を示す図である。
【図５】本発明の実施の形態によるＳＳＢ信号受信装置（実施例３）の構成を示す図である。
【図６】本発明の実施の形態によるＳＳＢ信号受信装置（実施例４）の構成を示す図である。
【図７】本発明の実施の形態によるＳＳＢ信号受信装置（実施例５）の構成を示す図である。
【符号の説明】
【０１４１】
１，２  ＳＳＢ信号受信装置
２０  周波数変換回路
３０  搬送波／信号分離回路
４０  増幅器
５０  移相器
６０，７０  合成器
８０  搬送波／信号再合成回路
９０，９５  リミッタ回路
１００，１１０  直交検波回路
１０１，１１１  移相器
１０２，１０３，１１２，１１３  乗算器
１０４，１０５，１１４，１１５  ＬＰＦ
１３０，１４０，１５０  乗算器
１７０，１８０  減算器
１９０  除算器
８００  検波信号演算回路
９００  振幅調整回路
９１０，９２０，９３０，９４０  倍率調整器
９５０  倍率決定器
【図１】
0004774388.tif 000041
【図２】
0004774388.tif 000042
【図３】
0004774388.tif 000043
【図４】
0004774388.tif 000044
【図５】
0004774388.tif 000045
【図６】
0004774388.tif 000046
【図７】
0004774388.tif 000047